(57)【要約】【課題】個々の装置の共振回路を構成する素子のパラメータが異なる場合にも、高周波駆動源の出力波形と高周波高電圧波形との位相差を一定値に調整し、全ての装置に対して最適な設定を行うための、イオントラップ装置及び該装置の調整方法を提供する。【解決手段】高周波駆動源による駆動電圧を共振回路により増幅することで発生させた高周波電圧を、イオントラップを形成する複数の電極のうちの少なくとも１つに印加するイオントラップ装置において、前記高周波電圧を一定に保ちつつ前記共振回路の共振周波数を調整するための同調手段を備え、前記共振回路の共振周波数を前記駆動電圧の周波数に合わせるステップと、前記共振回路の共振周波数を前記駆動電圧の周波数からずらして、前記駆動電圧の電圧値を一定の倍率に増加させるステップと、からなる調整手順で前記同調手段を調整する。【選択図】  図１
2005340092.tif 000002
【特許請求の範囲】
【請求項１】
高周波駆動源による駆動電圧を共振回路により増幅することで発生させた高周波電圧を、イオントラップを形成する複数の電極のうちの少なくとも１つに印加するイオントラップ装置において、
前記高周波電圧を一定に保ちつつ前記共振回路の共振周波数を調整するための同調手段を備え、前記共振回路の共振周波数を前記駆動電圧の周波数に合わせるステップと、
前記共振回路の共振周波数を前記駆動電圧の周波数からずらして、前記駆動電圧の電圧値を一定の倍率に増加させるステップと、
からなる調整手順で前記同調手段を設定することを特徴とするイオントラップ装置。
【請求項２】
前記高周波電圧の増加に伴って共振周波数が一方向に変化する場合には、その変化と同じ方向に共振周波数がずれるように前記同調手段を設定することを特徴とする請求項１に記載のイオントラップ装置。
【請求項３】
高周波駆動源による駆動電圧を共振回路により増幅することで発生させた高周波電圧を、イオントラップを形成する複数の電極のうちの少なくとも１つに印加するイオントラップ装置であって、前記高周波電圧を一定に保ちつつ前記共振回路の共振周波数を調整するための同調手段を備えたイオントラップ装置の調整方法において、
前記共振回路の共振周波数を前記駆動電圧の周波数に合わせるステップと、
前記共振回路の共振周波数を前記駆動電圧の周波数からずらして、前記駆動電圧の電圧値を一定の倍率に増加させるステップと、
からなる調整手順で前記同調手段を調整することを特徴とするイオントラップ装置の調整方法。
【請求項４】
前記高周波電圧の増加に伴って共振周波数が一方向に変化する場合には、その変化と同じ方向に共振周波数がずれるように前記同調手段を調整することを特徴とする請求項３に記載のイオントラップ装置の調整方法。
【発明の詳細な説明】
【技術分野】
【０００１】
本発明は、３次元四重極電場を用いてイオンを捕捉（トラップ）するイオントラップ装置に関する。本発明に係るイオントラップ装置は、例えばイオントラップ質量分析装置やイオントラップをイオン源として利用する飛行時間型質量分析装置などに使用される。
【背景技術】
【０００２】
イオントラップ装置では、基本的に高周波電場と直流電場を組み合わせて形成される３次元四重極電場を用いてイオンを捕捉する。イオントラップの構成には、内面が双曲面形状を有する電極群を用いて、電極群に囲まれた領域内にイオン捕捉領域を形成するものや、円筒や円板状の電極を組み合わせて、電極群に囲まれた領域の中心あたりにイオン捕捉領域を形成するもの（Cylindrical Ion Trap）などがある。これらの構成において、中央部の円筒状電極はリング電極、その両側の円板状の電極はエンドキャップ電極と呼ばれており、通常は、リング電極に高周波電圧を印加することによって捕捉電場を形成する。いずれの電極構成においても、イオンの質量／電荷比に応じて、そのイオンが安定に捕捉されるか、あるいは不安定な軌道を描いて電極に衝突したり、電極の開口部から放出されてしまうかが定まる。こうしたイオントラップの理論的な説明は、非特許文献１などに詳しく記載されている。
【０００３】
リング電極に高周波電圧を印加するための構成の一例としては、リング電極にコイルが接続され、そのコイルのインダクタンスと、リング電極と二つのエンドキャップ電極との間の静電容量、及びリング電極に接続された他の全ての回路要素の静電容量とでＬＣ共振回路を形成する。この共振回路に、これを駆動する高周波駆動源（ＲＦ励振回路）を直接又は変圧器結合を通じて接続する。この構成では、高いＱ値を利用して振幅を増幅し、小さな駆動電圧で、リング電極に大振幅の高周波電圧（以下「高周波高電圧」という）を印加することができる。こうした共振回路での電圧の増幅効果を高めるために、通常、可変コンデンサ等を含む同調回路を用いて、ＬＣ共振回路の共振周波数を駆動源の周波数に合致（この状態が共振条件を満たしている状態である）させるようにしている。
【０００４】
しかしながら、温度上昇に伴ってコイルが膨張してインダクタンスが変化したり、或いは可変コンデンサの容量が変化したりして、共振回路の共振周波数が高周波駆動源の周波数からずれる場合がある。また、リング電極に高電圧スイッチが接続されており、高周波高電圧を変化させるとそのスイッチの容量が変化して共振状態が変化する場合もある。一般には、高周波駆動源の出力電圧を調整して高周波高電圧の電圧値を一定に維持するようなフィードバック制御が行われているため、共振周波数にずれが生じても高周波高電圧の振幅（電圧値）は変動しない。ところが、高周波駆動源の出力波形と高周波高電圧の波形の位相差に、ずれが生じてしまう。イオントラップ装置で行われる様々な処理において、高周波高電圧の位相に関係した、又は位相を利用した処理（例えばイオンの選別や解離など）を行う必要がある場合、通常、高周波駆動源から位相情報を取得してそれに基づいて各種のタイミングを決めているため、上述したように高周波駆動源の出力波形と高周波高電圧の波形との位相差にずれが生じた場合、意図した処理が行えなくなってしまったり、その処理の精度が上がらなくなってしまったりする、という問題が生じる。
【０００５】
一例を挙げると、高周波高電圧の電圧値を走査してイオンの質量分析を行う場合、イオンがイオントラップから放出されるタイミングは高周波高電圧の位相と関連しているので、上記のように位相にずれが生じると質量スペクトルでのピーク位置にずれが生じてしまう。また他の例として、イオントラップから飛行時間型質量分析装置へイオンを放出し質量分析を行う場合には、放出タイミングでのイオンの運動エネルギーや運動方向が高周波高電圧の位相と関連しているので、その位相にずれが生じると上記と同様に質量スペクトルでのピーク位置にずれが生じてしまう。
【０００６】
こうした問題は、高周波駆動源ではなく共振・増幅後の高周波高電圧をモニタすることで直接的に位相信号を取り出し、その位相情報に基づいて処理を行うことにより、原理的には解決が可能である。しかしながら、実際には、様々に振幅（電圧値）が変化する高周波高電圧に対して常に正確な位相情報を取り出すのは非常に困難であって、可能であったとしてもコストがかさみ実用的ではない。また、既に使用されている装置に対して後付けでこうした機能を組み込むことは、実用上不可能である。
【０００７】
これに対して、特許文献１においては、高周波駆動源による駆動電圧を共振回路により増幅することで発生させた高周波電圧を、イオントラップを形成する複数の電極のうちの少なくとも１つに印加するイオントラップ装置において、前記共振回路の共振周波数を調整するための同調手段を備え、その共振周波数が前記駆動電圧の周波数からずれるように前記同調手段を設定することを特徴とするイオントラップ装置及び該装置の調整方法が開示されている。このイオントラップ装置及び該装置の調整方法によれば、イオントラップに高周波高電圧を印加するための共振回路の共振周波数を高周波駆動源の周波数から意図的にずらすことによって、高周波高電圧を変化させたときに生じる共振周波数の変化が、高周波駆動源の出力波形と高周波高電圧波形との位相差に対して及ぼす影響を低減することができる。それによって、質量分析の際の質量ピークのシフト等、その位相差や位相変化に関連した諸性能の劣化を防止することができ、質量分析の精度や感度を高めることができる。
【０００８】
また、高周波駆動源の出力波形と高周波高電圧波形との位相差にずれを生じさせる原因が高周波高電圧の電圧値に依存している場合には、共振条件からずらす方向を適切に選択しないと共振回路での共振が安定に行われなくなる。例えば、高周波高電圧が印加されている電極に半導体素子が接続されている場合、高周波高電圧の電圧値の増加に伴って実質的な半導体素子の容量が増加し、共振回路の共振周波数は低下する。仮に同調手段で容量を減らすことによって共振周波数が高くなるように共振条件からずらされている場合、高周波高電圧の電圧値を増加させると容量が増加して共振条件に近づいてしまうため、共振回路の増幅率が増加し、正の帰還がかかって共振が不安定になる。従って、上述のように高周波高電圧が印加されている電極に半導体素子が接続されている場合には、例えば可変コンデンサ等の同調手段で容量を増加させるようにして、共振周波数が減少するように共振条件からずらす向きを設定する必要がある。すなわち、より一般化すれば、高周波電圧の増加に伴って共振周波数が一方向に変化する場合には、その変化と同じ方向に共振周波数がずれるように同調手段を調整することが好ましく、これによって共振を安定化して上記のような効果を確実に達成することができる。
【非特許文献１】R. E. March, R. J. Hughes著、「Quadrupole Storage Mass Spectrometry」，John Wiley & Sons、１９８９年、ｐ．３１−１１０
【特許文献１】日本特許出願第２００２−３１７７２３号
【発明の開示】
【発明が解決しようとする課題】
【０００９】
上述のように、特許文献１に開示されているイオントラップ装置及び該装置の調整方法を用いれば、高周波駆動源の出力波形とリング電極に印加されている高周波高電圧の波形との位相差のずれを低減し、それによって質量ピークのシフトなどの位相に関した各種の性能の劣化を防止又は軽減することができる。しかしながら、共振周波数をずらす量に関しての明確な指針はなく、装置ごとに性能が異なってしまうという問題が生じていた。特許文献１に記述されているように、共振周波数をずらす量を増やせば増やすほど、位相差の変化率は少なくなり、性能の劣化を防止する効果も増大する。このため、特許文献１の段落００２４に記載されているように、高周波電圧の目標電圧を使用する範囲の最大値に設定した時に、高周波駆動源の駆動電圧が使用可能範囲の最大の電圧値になるまで共振回路の共振周波数をずらすという操作が行なわれる。この操作で、共振回路の共振周波数と高周波駆動源の周波数のずれを最大にすることができ、高周波駆動源の出力波形と高周波高電圧波形との位相差も最大になる。従って、高周波高電圧を変化させたときに生じる共振回路の共振周波数の変化が、高周波駆動源の出力波形と高周波高電圧波形との位相差に対して及ぼす影響を最小にすることができる。
【００１０】
ところが、複数の装置に同様の操作を行った場合、個々の装置で共振回路を構成する素子のパラメータ、例えばインダクタンスや実効抵抗値、が僅かに異なるため、高周波駆動源の出力波形と高周波高電圧波形との位相差も僅かに異なることになる。このため、高周波高電圧を変化させたときに生じる共振回路の共振周波数の変化が、高周波駆動源の出力波形と高周波高電圧波形との位相差に対して及ぼす影響がそれぞれの装置によって異なり、装置制御の種々のタイミングに同じパラメータを用いた場合には、全ての装置に対して最適な設定とはならず、分解能などの装置の諸特性に影響を及ぼすという問題がある。
【００１１】
本発明は上記課題を解決するために成されたものであり、その目的とするところは、個々の装置の共振回路を構成する素子のパラメータが異なる場合にも、高周波駆動源の出力波形と高周波高電圧波形との位相差を一定値に調整し、全ての装置に対して最適な設定を行うための、イオントラップ装置及び該装置の調整方法を提供することにある。
【課題を解決するための手段】
【００１２】
上記課題を解決するために成された第１の発明は、高周波駆動源による駆動電圧を共振回路により増幅することで発生させた高周波電圧を、イオントラップを形成する複数の電極のうちの少なくとも1つに印加するイオントラップ装置において、前記高周波電圧を一定に保ちつつ前記共振回路の共振周波数を調整するための同調手段を備え、前記共振回路の共振周波数を前記駆動電圧の周波数に合わせるステップと、前記共振回路の共振周波数を前記駆動電圧の周波数からずらして、前記駆動電圧の電圧値を一定の倍率に増加させるステップと、からなる調整手順で前記同調手段を設定することを特徴としている。
【００１３】
また、上記課題を解決するために成された第２の発明は、高周波駆動源による駆動電圧を共振回路により増幅することで発生させた高周波電圧を、イオントラップを形成する複数の電極のうちの少なくとも１つに印加するイオントラップ装置であって、前記高周波電圧を一定に保ちつつ前記共振回路の共振周波数を調整するための同調手段を備えたイオントラップ装置の調整方法において、前記共振回路の共振周波数を前記駆動電圧の周波数に合わせるステップと、前記共振回路の共振周波数を前記駆動電圧の周波数からずらして、前記駆動電圧の電圧値を一定の倍率に増加させるステップと、からなる調整手順で前記同調手段を調整することを特徴としている。
【発明の効果】
【００１４】
本発明に係るイオントラップ装置及び該装置の調整方法によれば、複数の装置に同様の操作を行う場合、個々の装置の共振回路を構成する素子のパラメータ、例えばインダクタンスや等価抵抗値、が僅かに異なっている場合においても、高周波駆動源の出力波形と高周波高電圧波形との位相差θは一定値に調整される。このため、高周波高電圧を変化させたときに生じる共振角周波数の変化Δωが、高周波駆動源の出力波形と高周波高電圧波形との位相差θに対して及ぼす影響Δθが個々の装置よって異なることがなく、装置制御の種々のタイミングに同じパラメータを用いても、分解能などの装置の諸特性に影響を及ぼさず、全ての装置に対して最適な設定とすることが可能となる。
【発明を実施するための最良の形態】
【００１５】
第１及び第２発明の原理を、図２に示すＬＣＲ直列共振回路のモデルを用いて簡略的に説明する。いま、イオントラップの電極などの容量の総和１０１をＣ、コイルのインダクタンス１０２をＬ、共振回路の等価抵抗１０３をＲで表す。また、高周波駆動源１００により発生する駆動電圧の角周波数をω0、共振回路の共振角周波数をωで表す。ここで、角周波数ωは周波数ｆに２πを掛け合わせたものである。この共振回路のインピーダンスＺは、
Ｚ＝Ｒ＋ｊＸ
但し、Ｘ＝ωＬ−１／（ωＣ）
で与えられる。
第１のステップでは、容量Ｃ又はインダクタンスＬを調整することによって共振回路の共振角周波数ωを駆動電圧の角周波数ω0に合わせる。この時、共振条件が成立してＸ＝０となり、共振回路のインピーダンスＺはＺ＝Ｒの最小値となるので、最も小さな駆動電圧で以って目的とする高周波高電圧を得ることができる。この時の駆動電圧をＶ１とすると、共振回路に流れる電流Ｉは、
Ｉ＝Ｖ１／Ｒ
である。イオントラップの電極間に発生する高周波高電圧ＶＲＦは容量Ｃに加わる電圧に相当する。容量Ｃのインピーダンスは
−ｊ／（ω0Ｃ）≒−ｊω0Ｌ
であるから、高周波高電圧は、
ＶＲＦ＝（−ｊω0Ｌ／Ｒ）・Ｖ１
となる。この共振回路の増幅率Ｑ＝ω0Ｌ／ＲはＱ値と呼ばれている。一般的なイオントラップ装置では、共振回路のＱ値は100〜300程度の値に設定されている。
【００１６】
第２のステップでは、高周波高電圧ＶＲＦを一定に保ったまま、例えば容量Ｃを変化させることにより、共振回路の共振角周波数ωを変化させて、駆動電圧の電圧値が、ステップ１における駆動電圧の電圧値Ｖ１に対して一定の倍率ｋ（＝１＋ｊκ）になるまで増加させる。この駆動電圧をＶ２＝ｋＶ１とすると、共振回路に流れる電流Ｉは、
Ｉ＝Ｖ２／Ｚ
であるので、高周波高電圧は、
ＶＲＦ＝（−ｊω0Ｌ／Ｚ）・Ｖ２
となる。高周波高電圧ＶＲＦは一定であるので、
ｋ＝Ｖ２／Ｖ１＝Ｚ／Ｒ＝１＋ｊ（Ｘ／Ｒ）
あるいは
κ＝Ｘ／Ｒ
の関係が得られる。
一方、高周波駆動源１００の出力波形と高周波高電圧の波形との位相差θは、ＶＲＦとＶ２との関係から
θ＝−π／２−∠Ｚ＝−π／２−arctan（Ｘ／Ｒ）＝−π／２−arctanκ
となる。共振回路の等価抵抗RやコイルのインダクタンスＬの値にかかわらず、倍率ｋが一定値になるように調整しているので、κも一定であり、位相差θもまた一定値になる。
【００１７】
したがって、例えばＲなどの、個々の装置の共振回路を構成する素子のパラメータが僅かに異なっている場合においても、高周波高電圧を変化させたときに生じる共振周波数の変化が、高周波駆動源の出力波形と高周波高電圧波形との位相差θに対して及ぼす影響はどの装置に対しても等しい。このため、装置制御の種々のタイミングに同じパラメータを用いても、常に最適な設定とすることができる。
【００１８】
例えば、容量Ｃを変化させた場合のリアクタンスＸは、
Ｘ＝ω0Ｌ−１／（ω0Ｃ）＝ＱＲ（１−ω２／ω0２）≒２ＱＲ・（ω0−ω）／ω0
で表されるので、位相差θを共振回路の共振角周波数ωで微分して、共振角周波数の変化Δωに対する位相差の変化Δθの関係を求めると、
Δθ≒２Ｑcos２（∠Ｚ）・（Δω／ω0）
が得られる。共振回路の共振角周波数ωを駆動電圧の周波数ω0からずらして行けば、共振角周波数の変化Δωに対する位相差の変化Δθの比率は、共振条件である∠Ｚ＝０の状態からcos２（∠Ｚ）に従って減少することになる。また、上式を容量Ｃの変化ΔＣを用いて書き直すと、Δω／ω＝−（１／２）ΔＣ／Ｃの関係から、
Δθ≒−Ｑcos２（∠Ｚ）・（ΔＣ／Ｃ）
となるので、やはりΔθの大きさはcos２（∠Ｚ）に従って減少することになる。
【００１９】
このため、ｋ（あるいはκ）はできるだけ大きな値に設定することが望ましい。すなわち、複数の装置で素子のパラメータにばらつきがある場合においても、全ての装置に対して高周波駆動源が出力可能な範囲内で、できるだけ大きな倍率ｋ＝Ｖ２／Ｖ１に設定することが望ましい。
【実施例】
【００２０】
以下、本発明のイオントラップ装置を用いた質量分析装置の一例として、飛行時間型質量分析装置について説明する。図１はこの質量分析装置の要部の構成図である。
【００２１】
イオントラップ装置１は、一つのリング電極１１と二つの互いに対向するエンドキャップ電極１２，１３により構成されている。リング電極１１には高周波高電圧が印加され、一対のエンドキャップ電極１２，１３との間に形成される四重極電場によってイオン捕捉空間１４を形成し、そこにイオンを捕捉する。エンドキャップ電極１２，１３にはそれぞれエンドキャップ電圧発生器１５，１６が接続されており、各分析ステップに応じた適当な電圧をエンドキャップ電極１２，１３に印加する。
【００２２】
例えば、MALDI（Matrix-Assisted Laser Desorption/Ionization）イオン源２で発生させたイオンをイオントラップ装置１へと導入するときは、入射するイオンの運動エネルギーを減衰させるように電圧が印加される。また、飛行時間分析器（TOF=Time Of Flight）３により質量分析を行う場合には、イオン捕捉空間１４からイオンを加速して飛行時間分析器３へと放出するように電圧が印加される。さらにまた、イオントラップ内でイオンの選別や解離を行わせる場合には、イオン捕捉空間１４に、高周波高電圧により生成されたイオン捕捉用四重極電場に重畳して、イオンの選別や励起を行うための電場を生成するべく電圧が印加される。
【００２３】
リング電極１１に高周波高電圧を印加するためのリング電圧発生器４の一部として、リング電極１１にはコイル４２が接続されており、基本的には、このコイル４２と、リング電極１１とエンドキャップ電極１２，１３との間の静電容量（コンデンサ）とで、ＬＣ共振回路を形成している。厳密に言うと、それら電極１１，１２，１３間の静電容量のみならず、高周波高電圧の電圧モニタ回路（図示せず）や同調回路４３、高電圧スイッチ４６，４７の容量、配線などの容量の総和とコイル４２のインダクタンスとで共振周波数が決定される。
【００２４】
共振回路の駆動方法には、トランスを用いたものなど各種の方式があるが、ここではコイル４２の一端を直接的に高周波駆動源４１で駆動する方法を採用している。高周波駆動源４１で発生する駆動電圧の周波数は500kHzに固定されており、同調回路４３を調整することによってＬＣ共振回路の共振周波数を500kHz近傍に合わせ、共振による増幅を行って高周波高電圧を発生させる。本実施例では、同調回路４３には真空可変コンデンサ（いわゆる真空バリコン）を使用し、その容量を変化させることにより同調を達成している。もちろん、これ以外にも、例えばフェライトコア等を用いてコイル４２のインダクタンスを変化させることにより同調を達成する構成としてもよい。
【００２５】
リング電極１１には、更に高電圧スイッチ４６，４７を介して高電圧直流電源４４，４５が接続されている。これらはイオントラップ装置１へのイオン導入時の高周波高電圧の急速な立ち上げや、イオントラップ装置１からのイオンの放出時の高周波高電圧の急速な減衰などを行うために利用される。例えば、負極性の高周波高電圧を急速に立ち上げたい場合には、次のような手順で動作させる。
【００２６】
まず、負高電圧直流電源４５に接続された高電圧スイッチ４７を閉じ、リング電極１１の電圧を負高電圧直流電源４５の電圧と同じに設定する。その後すぐに高電圧スイッチ４７を開く。共振回路はその後、共振周波数で発振を開始する。共振回路の発振を停止するときには、高電圧スイッチ４６，４７を共に閉じると同時に、高周波駆動源４１の出力をゼロにする。正及び負の高電圧直流電源４４，４５の電圧の絶対値が同一であって、スイッチ４６，４７の内部抵抗が同一であるため、高周波高電圧はゼロになる。全てのイオンがイオントラップ装置１から排出された後に、両方のスイッチ４６，４７を開く。なお、詳しくは、特表２００２−５３３８８１号公報の段落００１１などに記載している。
【００２７】
ここで高電圧スイッチ４６，４７には高速性が要求されるため、電力用MOSFETなどを使用した半導体スイッチが利用される。こうした半導体スイッチに利用される半導体素子は、電圧が減少するとその容量が増加するという特性を有する。そのため、リング電極１１の高周波高電圧の電圧値が変化する際、高電圧スイッチ４６，４７に掛かる電圧が変化すると、スイッチの容量も僅かながら変化する。通常、高電圧スイッチ４６，４７に掛かる電圧が減少したときの容量の増加の程度は、高電圧スイッチ４６，４７に掛かる電圧が増加したときの容量の減少の程度よりも大きい。そのため、リング電極１１の高周波高電圧の電圧値は正弦波波形で正負対称に変化するものの、平均すれば高電圧スイッチ４６，４７の容量は増加することになる。また、リング電極１１に掛かる高周波高電圧の振幅を大きくするほど、高電圧スイッチ４６，４７の容量の増加も大きくなる。こうしたことから、共振回路の共振周波数が下がり、定められた共振条件からずれることになる。
【００２８】
そこで、本実施例の質量分析装置では、測定に先立ってオペレータは以下のような手順で共振回路の同調回路４３の調整を行うこととする。
（１）  高周波高電圧の目標電圧を、低い電圧値に設定する。
（２）  同調回路４３の容量を増減し、（１）の目標電圧を達成しつつ高周波駆動源４１の駆動電圧が最小になる条件を見つける。これが、共振回路の共振周波数が高周波駆動源４１の駆動電圧の周波数と一致し、共振回路が共振条件を満たしている状態である。図３（ａ）は、このときの共振回路の増幅率と周波数との関係を示す概念図である。高周波駆動源４１の駆動電圧の周波数ｆ０と共振回路の共振周波数ｆとが一致しており、共振回路の増幅率が最大になる。
（３）  次いで、高周波高電圧の目標電圧を、使用する範囲の最大値に設定し、このときの駆動電圧の電圧値をＶ１とする（ステップ１）。
（４）  同調回路４３の容量を増加させてゆく。容量の増加に伴って、共振回路の共振周波数ｆは、図３（ｂ）に示すように低下し、高周波駆動源４１の駆動電圧の周波数ｆ０での増幅率は下がる。高周波高電圧は、フィードバック制御により、常に目標電圧となるように制御されている。このため、増幅率が下がった分だけ駆動電圧が増加することになる。そして、高周波駆動源４１の駆動電圧が、ステップ１で求めた共振条件での駆動電圧Ｖ１の定数ｋ倍の電圧値Ｖ２＝ｋＶ１になるように調整する（ステップ２）。但し、この定数ｋは、個々の装置のパラメータがばらついた場合でも、駆動電圧が使用可能範囲の最大の電圧値を超えないように定められている。
【００２９】
このように、高周波駆動源４１の駆動電圧が、共振条件での駆動電圧から一定の倍率に増加するように共振条件をずらすことにより、上述したように、高周波高電圧を変化させたときの、高周波駆動源４１の出力波形と高周波高電圧波形の位相差を、個々の装置のパラメータによらずに一定に保つことにより、装置の性能を安定化することができる。
【００３０】
また、上記の手順においては、手順（３）で高周波高電圧の電圧値を増加させた際に、すでに共振回路の共振周波数が変化している。このため、高周波高電圧の目標電圧を、使用する範囲の最大値に設定した後、再度、高周波駆動源４１の駆動電圧が最小になる条件を見つけ、このときの駆動電圧の電圧値をＶ１とすることも可能である。この場合、手順（４）で使用する定数ｋは、上記の手順を用いた場合とは異なる場合もある。
【００３１】
なお、上記のような同調回路４３の調整は、必ずしも測定の度毎に行う必要はない。それは、一旦調整を行えば、保守や修理のための装置の分解作業や経時変化などに起因する大きな変動が生じない限り、定常的な共振条件が変化することは考えにくいからである。もちろん、オペレータが必要に応じて同調の再調整を行うことは何ら問題がない。
【００３２】
上記のように同調回路４３の容量を増加させることによって共振条件をずらした場合、高周波高電圧の増加に伴って高電圧スイッチ４６，４７の容量は増加するが、このとき共振回路の増幅率は下がるように作用するため、共振に不安定性を生じることはない。これに対し、共振条件からずらすために逆に同調回路４３の容量を減少させてしまうと、図３（ｃ）のような状態となる。その状態から高周波高電圧を大きくしたときに高電圧スイッチ４６，４７の容量が増加すると、共振回路の共振周波数ｆが下がって共振条件に近づき（図３（ｃ）中の太線矢印の方向）、それによって共振回路の増幅率は増加する。そのため、駆動電圧が変わらなくても、高周波高電圧は更に大きくなる。すなわち、正帰還の作用により共振回路の発振が不安定になり、正常な動作が行えなくなるおそれがある。従って、同調回路４３の容量を減少させるのではなく、容量を増加させることによって共振条件をずらすことが重要である。
【００３３】
また、上述のように共振条件からずらすことによって高周波駆動源４１の駆動電圧は増加するが、これは共振回路のリアクタンスの変化によるもので、高周波駆動源４１の消費電力は変化しない。なぜなら、共振条件にかかわらず、高周波高電圧の電圧値が等しければ、高周波電流値も等しいため、等価抵抗が変化しない限り消費電力も等しいからである。
【００３４】
なお、上記実施例のイオントラップ装置では、高周波高電圧を大きくしたときに共振周波数が低下するような回路構成であったが、高周波高電圧を大きくしたときに共振周波数が高くなるような別の回路構成においては、上記説明とは逆に、同調回路４３の容量を減少させることによって、高周波駆動源４１の駆動電圧が同調条件での駆動電圧値の定数倍になるように調整すればよい。
【００３５】
更にまた、上記実施例は本発明の単に一例にすぎず、本発明の趣旨の範囲で適宜変更や修正したものも本発明に包含されることは明らかである。
【図面の簡単な説明】
【００３６】
【図１】本発明の一実施例であるイオントラップ装置を用いた質量分析装置の要部の構成図。
【図２】本発明の原理を説明するためのＬＣＲ共振回路のモデルを示す図。
【図３】共振回路の増幅率と周波数との関係を示す概念図。
【符号の説明】
【００３７】
１…イオントラップ装置
１１…リング電極
１２，１３…エンドキャップ電極
１４…イオン捕捉空間
１５，１６…エンドキャップ電圧発生器
２…MALDIイオン源
３…飛行時間分析器
４…リング電圧発生器
４１…高周波駆動源
４２…コイル
４３…同調回路
４４，４５…高電圧直流電源
４６，４７…高電圧スイッチ
【図１】
2005340092.tif 000003
【図２】
2005340092.tif 000004
【図３】
2005340092.tif 000005